(57)【要約】      （修正有）【課題】広場に設置し、かつ、容易に撤去可能なドッグラン用組立サークルを提供する。【解決手段】犬をノーリードで遊ばせるための場所を提供するドッグラン用組立サークル１０として、線材の伸張力によって一定の形状に展開されるシート材から成るパネル要素１５、パネル要素を複数個結合するために左右に設けられた結合手段所定長さの竿材を複数個継合わせて形成された継ぎ合わせ式のサークル枠２０、複数個のパネル要素を結合手段によって結合し、また、継ぎ合わせ式のサークル枠と接続するためにパネル要素に設けた接続部２１を用いて構成する。【選択図】図４
0003151350.tif 000002
【実用新案登録請求の範囲】
【請求項１】
犬をノーリードで遊ばせるための場所を提供するドッグラン用組立サークルであって、
線材の伸張力によって一定の形状に展開されるシート材から成るパネル要素と、
パネル要素を複数個結合するために左右に設けられた結合手段と、
所定長さの竿材を複数個継合わせて形成された継ぎ合わせ式のサークル枠と、
複数個のパネル要素を結合手段によって結合し、また、継ぎ合わせ式のサークル枠と接続するためにパネル要素に設けた接続部から成る
ドッグラン用組立サークル。
【請求項２】
パネル要素は左右方向へ４個結合したものを一つのユニットとし、その最外部の左右に結合手段としてスライドファスナーがそれぞれ取り付けられている請求項１記載のドッグラン用組立サークル。
【請求項３】
パネル要素において、線材はシート材の縁に沿って縫い付けられ、展開しているパネル要素をその線材を捩じることによって、展開時のサイズの２分の１或いはそれ以下に折り畳めるように形成されている請求項１又は２記載のドッグラン用組立サークル。
【考案の詳細な説明】
【技術分野】
【０００１】
本考案は、犬をノーリードで遊ばせるための場所を提供するドッグラン用組立サークルに関するものである。
【背景技術】
【０００２】
現在、国内には１３００万等を超える犬が飼育されているといわれており、飼育のための各種設備や用具、食料等は一つの産業になっているといっても言い過ぎではない。犬を戸外に連れ出したときに、綱を付けて犬を制御できるようにしておくことは飼い主の責任であるが、遊ばせる場所があれば一定の区域を限ってノーリードでおくこともある。この場合ネットなどの備わっている場所であれば良いが、そうでない場合には一定の区域を囲む必要がある。
【０００３】
上記の目的のために、犬と飼い主のための遊び場専用広場として「ドッグラン」と呼ばれる設備がある。しかしながら、東京都内でも数か所しかないため普及しているとまでは言えず、気軽に利用できる環境ではない。そこで、広い場所があれば容易に設置でき、かつまた、容易に撤去できるものが求められるが、そのような装置、器具類は現在のところ提案されていない。
【０００４】
一定の区域を囲む設備として提案された考案には、例えば、実開平６−２３４３９号があり、それはフェンスを支柱に連結するもので、支柱を地面に打ち込んで固定する構造である。従って、支柱を杭のように打ち込む道具類も必要であり、設置作業は重労働になるとともに、移動は容易ではなく、撤去作業にも手間がかかる。より小さな設備では実用新案登録第３０２９３６０号のようなペット用サークルがあるが、これでは犬が走り回ることはできず、設備の大型化も困難である。
【０００５】
【特許文献１】実開平６−２３４３９号
【特許文献２】実用新案登録第３０２９３６０号
【考案の開示】
【考案が解決しようとする課題】
【０００６】
本考案は前記の点に着目してなされたもので、その課題は、広場があれば容易に設置可能であり、かつまた、撤去も容易に行えるドッグラン用組立サークルを提供することである。また、本考案の他の課題は、手軽に使用でき、また、安全性も高いドッグラン用組立サークルを提供することである。
【課題を解決するための手段】
【０００７】
前記の課題を解決するため、本考案は、犬をノーリードで遊ばせるための場所を提供するドッグラン用組立サークルについて、これを線材の伸張力によって一定の形状に展開されるシート材から成るパネル要素と、パネル要素を複数個結合するために左右に設けられた結合手段と、所定長さの竿材を複数個継合わせて形成する継ぎ合わせ式のサークル枠と、複数個のパネル要素を結合手段によって結合し、また、継ぎ合わせ式のサークル枠と接続するためにパネル要素に設けた接続部とによって構成するという手段を講じたものである。
【０００８】
本考案のドッグラン用組立サークルは、犬がかけ回って遊ぶことができるように区域を限るための簡便な装置である。それを形成するために、本考案では、まず、線材の伸張力によって一定の形状に展開されるシート材から成るパネル要素を案出した。このパネル要素は、例えばナイロン生地等の合成繊維を用いたシート材、或いは任意の合成樹脂製のシート材より成る、望ましくは耐水性を有するシート状の素材を使用するものとし、それを一定の形状に裁って形成するとともに、その縁に沿ってばね性を有する線材を固定し、線材の伸張力の作用で一定の形状に拡げられる。
【０００９】
パネル要素の左右には結合手段が設けられており、パネル要素同士を複数個結合して閉じたサークル枠を形成し、また、結合したパネル要素を再び分離することを可能にしている。パネル要素は、１枚ずつ連結して使用する構成であっても良いが、パネル要素を形成できる大きさとして概ね左右方向長さ１ｍ未満が強度上及び取り扱い上適切であるとすると、本考案の組立サークルは例えば直径数ｍ以上と大きい方が望ましいことから、数枚を一連に形成しさらにその一連となったパネル要素を左右につなぐ構成とすることが有利になる。
【００１０】
従って、パネル要素は左右方向へ４個結合したものを一つのユニット（４連型）とし、その最外部の左右に結合手段としてスライドファスナーがそれぞれ取り付けられている、という構成は望ましい構成である（請求項２の考案）。なお、パネル要素を４個結合した４連型ユニットは、両端のスライドファスナーを閉じれば、それ自体が４角形の平面形状を持つ柵となる。パネル要素を３連型又は５連型以上のユニットとすることは当然選択し得ることであり、それぞれ平面形状が３角形ないしは５角形以上の平面形を持つ閉じた柵状の組立サークルが得られる。
【００１１】
上記パネル要素において、線材がシート材の縁に沿って縫い付けられ、展開しているパネル要素をその線材を捩じることによって、展開時のサイズの２分の１或いはそれ以下に折り畳めるように形成されている形態は望ましいものである（請求項３の考案）。このために、線材としてスチールワイヤー、被覆ワイヤー、ステンレスワイヤー等のばね性の良好な、錆びにくい金属製線材を使用することが必要である。
【００１２】
上記パネル要素を本考案のドッグラン用組立サークルとして組み立てるために、所定長さの竿材を複数個継合わせて形成する継ぎ合わせ式のサークル枠を使用する。継ぎ合わせ式とすることによって、竿材１個の長さを短く設定でき、例えばバッグなどに収納するのに有利となる。また、サークル枠の大きさについてもパネル要素の個数とともに、竿材の個数を増減することで容易に対応可能であり取扱いもし易い。
【００１３】
そして、複数個のパネル要素を結合手段によって結合し、また、継ぎ合わせ式のサークル枠と接続するためにパネル要素に設けた接続部を使用する。接続部はパネル要素側には縫着などの手段で設けることができるが、継ぎ合わせ式のサークル枠に対しては着脱を容易にするために、竿材に嵌める嵌合部を形成したプラスチック固定具やＳ字フックを使用することが望ましい。以上の構成によって、その内側にて犬を放して遊ばせることができるドッグラン用組立サークルが形成されるが、一定の位置にサークルを固定して置きたい場合には、アンカーとしてペグなどを用いて設置式とすることも可能である。
【考案の効果】
【００１４】
本考案は以上のように構成されかつ作用するものであるから、パネル要素とサークル枠を接続部を用いて組み立てられるので、ある程度の広い場所があれば容易に設置でき、かつまた、容易に撤去も可能なドッグラン用組立サークルを提供することができるという効果を奏する。また、本考案によれば、パネル要素は重ねられ、サークル枠も分解式なのでバッグなどに収納して運べるとともに、必要なときに組み立てれば良いから、手軽に使用でき、また、衝撃に強く、破壊されにくい構造であって、人や犬がぶつかっても怪我をする恐れはないから安全性も高い。
【考案を実施するための最良の形態】
【００１５】
以下図示の実施形態を参照して、本考案をより詳細に説明する。図面は、犬をノーリードで遊ばせるための場所を提供する本考案のドッグラン用組立サークル１０の一例を示すもので、このドッグラン用組立サークル１０は、線材１１の伸張力によって一定の形状に展開されるシート材１２から成るパネル要素１５を有している。シート材１２はナイロン生地を使用し、４辺にバイアステープ１２ａをパイプ状に縫着して取り付け、そのパイプ内にばね性の良好な、錆びにくい金属製ワイヤーから成る金属製の線材１１を配置してパネル要素１５が形成されている。パネル要素１５は左右に結合手段１３、１４を設けることによって複数個を結合し円形にすることができる。
【００１６】
本考案の組立サークル１０は、一般的に直径数メートル以上と大きい方が望ましいことから、数枚のパネル要素１５を一連に形成し、さらにその一連となったパネル要素１５を左右につなぐ構成とすると有利なことが多い。例えば数匹の小型犬ないし子犬を遊ばせるためには直径５ｍ程度は必要であり、全周は５ｍ×３．１４＝１５．７ｍであるからパネル要素１個の左右方向長さを０．８〜１ｍに設定すると、１６個程で組立サークル１０を形成できることが分かる。そこで、パネル要素１５を左右方向へ４個結合して一つのユニット（４連型）を形成すれば、４連型ユニット４個で本考案のドッグラン用組立サークル１０を構成できることになる。なお、パネル要素の高さは左右方向長さの７〜８割に設定しているが、これらのパネルサイズは一例であり必要に応じて適宜増減できることは当然である。
【００１７】
図１は、上記のようなドッグラン用組立サークル１０のための、４連型ユニットＵを示している。この４連型ユニットＵを構成する、４個のパネル要素１５は左右の側辺部にてマチ部１６を介して結合しており、かつ、マチ部１６の下部には隙間を閉じるために隅隠し部１７が設けられている。そして、最外部の側辺部の左右に、前記の結合手段１３、１４としてスライドファスナーがそれぞれ取り付けられている。４個のパネル要素１５を図１に示した状態から矢印の方向へ向こう側の２個のパネル要素１５を２点鎖線で示したように移動させて、両端の結合手段１３、１４にて結合すると、平面形状が４角形の柵状の組立サークルとなる。また、４個のパネル要素１５は、図１に示すようにマチ部１６にて折り畳み、重ねると１個分の大きさになる（図５Ａ参照）。
【００１８】
上記パネル要素１５を結合した４連型のユニットＵを用いて、本考案のドッグラン用組立サークル１０を組み立てるために、所定長さの竿材１８を複数個継合わせて形成する継ぎ合わせ式のサークル枠２０を使用する（図２Ａ）。竿材１８には釣り竿等に使用されるグラスファイバー製のパイプが軽量で強度面からも好ましく、その端部に接続部１８ａとしてアルミニウムパイプを固着したものを使用し、必要戸数の竿材１８の内部にはゴム紐等より成る伸縮性の緊張部材１９を縦通した構成とする（図２Ｂ）。パネル要素１個の左右方向長さを１ｍに設定した場合、竿材の長さＬはそれよりも短く例えば半分程度つまり０．５ｍの長さに形成し、パネル要素１５を捩じってまるめたときの大きさと適合させると、バッグなどに収納するのに好都合になる（図５参照）。
【００１９】
そして、複数個のパネル要素１５を結合手段によって結合し、また、継ぎ合わせ式のサークル枠２０と接続するためにパネル要素に設けた接続部を使用する（図３）。接続部としてはパネル要素側には縫着などの手段で取り付け、継ぎ合わせ式のサークル枠２０に対しては着脱を容易にするために、竿材１８に嵌める嵌合部２１ａを形成したプラスチック固定具２１やＳ字フック２２を使用することができる。２１ｂは取り付け片であり、固定具２１やＳ字フック２２をバイアステープ１２ａとともにパネル要素１５の上下２箇所に縫い付けている。
【００２０】
本考案のドッグラン用組立サークル１０はこのように構成されており、４個のパネル要素１５から成る４連型のユニットＵを４個用いて、それらの端部を結合手段１３、１４によって結合し、また、所定長さの竿材１８を接続部１８ａにて必要個数接続して（図示の例では１６ｍ÷０．５ｍ＝３２個）、円形の継ぎ合わせ式のサークル枠２０を２個形成する。そして、これらのサークル枠２０を前記ユニットＵの外側に配置するとともに、パネル要素１５に接続部として設けた固定具２１によって、継ぎ合わせ式のサークル枠２０と接続しドッグラン用組立サークル１０を組み立てるものである（図４）。
【００２１】
本考案のドッグラン用組立サークル１０は、図４から明らかなように平面形状が円形の遊び場を任意の場所に設定し、その中で犬を遊ばせることができるものであり、直径約５ｍ、０．６〜０．８ｍ程度の高さは、訓練された小型犬ないし子犬に対して十分な仕切りを提供する。また、設置場所が芝生などの草地であれば犬の力では動かないが、必要に応じて、ペグなどをアンカーとして用いて設置式とすることも可能である。なお、ペグなどは上記取り付け片２１ｂを用いて、パネル要素側に縫着することができる。
【００２２】
使用後は、図５Ａに示すようにパネル要素１５を捩じって、４個のパネル要素１５から成る４連型のユニットＵを図５Ｂに示すように展開時のサイズの２分の１或いはそれ以下の大きさの円形に折り畳み、小袋２３に収納する。この小袋入りの４個のユニットＵと、数十本の竿材１８から成る２個のサークル枠２０をともに、一つのバッグ２４に収納することができる（図５Ｃ）。
【００２３】
よって、本考案のドッグラン用組立サークル１０は自宅の庭やベランダ、マンション等の屋上、空き地や公園、お花見やバーベキュー、海辺などのお出かけ先など任意の場所において使用することができ、犬をノーリードで遊ばせることができるものである。また、犬を幼児などから離しておきたい場合、他の犬との関わりが不得意な犬や、怖がりの犬を遊ばせる場合などにも有用であり、犬同士の喧嘩も防ぐことができる。
【図面の簡単な説明】
【００２４】
【図１】本考案に係るドッグラン用組立サークルの一例に関するもので、４個のパネル要素から成る４連型のユニットを示す斜視図である。
【図２】同上のものに用いる説明図で、Ａは１個の竿材を示す側面図、Ｂは竿材を必要数つないだサークル枠の折り畳み状態の斜視図、Ｃは円形の平面形状に組み立てたサークル枠の斜視図である。
【図３】同じく本考案の説明図で、組み立てた状態の要部を示す正面図である。
【図４】同じく本考案に係るドッグラン用組立サークルの一例を示すもので、全体の斜視図である。
【図５】同じく本考案の説明図でＡは１個のパネル要素の正面図、Ｂは４個のパネル要素から成る４連型のユニットをたたんだ状態を示す正面図、Ｃは本考案に係るドッグラン用組立サークルに用いる全部材、部品等をバッグに収めた状態を示す正面図である。
【符号の説明】
【００２５】
１０  ドッグラン用組立サークル
１１  線材
１２  シート材
１３、１４  結合手段
１５  パネル要素
１６  マチ部
１７  隅隠し部
１８  竿材
１９  緊張部材
２０  継ぎ合わせ式のサークル枠
２１  固定具
２２  Ｓ字フック
２３  小袋
２４  バッグ
Ｕ  ４連型のユニット
【図１】
0003151350.tif 000003
【図２】
0003151350.tif 000004
【図３】
0003151350.tif 000005
【図４】
0003151350.tif 000006
【図５】
0003151350.tif 000007